(57)【要約】      （修正有）【課題】少ない操作手段の移動量で、且つ比較的小荷重の反操作力源で操作手段を通常位置へ位置変換でき、従来のプーリーを用いた増幅を不要とするドア開閉装置を提供する。【解決手段】操作手段であるボタン２を押下することにより開扉するドア１において、錘５の荷重をリンク３にて増幅させて反操作力荷重として用いて自動的に閉扉するドア開閉装置とした。【選択図】図１
2014224389.tif 000002
【特許請求の範囲】
【請求項１】
ドア近傍に配設されたドア開閉装置であって、
前記ドアと連動する伝達手段と、
通行する者の操作により通常位置と操作位置とに選択的に位置変換自在な、前記ドア近傍に取り付けられている操作手段と、
該操作手段と前記伝達手段との間に配置され操作手段の負荷と釣り合う反操作力伝達手段とを備え、
前記操作手段は、通行する者が触れる操作部を備え、該操作部は前後方向に、前方側の通常位置と後方側の操作位置とに選択的に位置変換自在とされており、
前記反操作力伝達手段はリンク機構を有し、前記リンク機構を用い、
操作手段による変位量に対し、反操作力伝達手段による変位量を増幅させ前記伝達手段へ伝達しており、
通行する者の操作により、前記操作手段の操作部が、通常位置から操作位置に位置変換されると、前記操作力伝達手段を介して前記伝達手段が連動すると共に、
該伝達手段の動作に連動して前記ドアが開放方向へ移動するものであることを特徴とするドア開閉装置。
【請求項２】
該操作手段と該伝達手段との間に配置される反操作力伝達手段とを備え、
前記反操作力伝達手段は錘を有し、その自重を反操作力として用いることを特徴とする請求項１のドア開閉装置。
【請求項３】
該操作手段と該伝達手段との間に配置される反操作力伝達手段とを備え、
前記反操作力伝達手段はバネを有し、その弾性力を反操作力として用いることを特徴とする請求項１のドア開閉装置。
【発明の詳細な説明】
【技術分野】
【０００１】
本発明は、引戸及び回転扉を含むドアに関し、詳細には電力を必要とせず、操作力伝達索にて自動開閉する環境に優しいドアを作動させるドア開閉装置に関する。            
【背景技術】
【０００２】
従来、汎用されている自動ドアは電力を必要することが一般的である。しかし、近年、環境配慮の観点から節電への意識が高まっており、電力を必要としない構成のドア開閉装置のニーズが高まっている。
構造は利用者がドア近傍の壁部に設置されたボタンを押下することによりボタンが操作位置まで下がり、そのエネルギーを用いドアを開扉させる。利用者がボタンを解放するとボタンは初期の通常位置まで押出しドアが閉扉する。
【先行技術文献】
【特許文献】
【０００３】
【特許文献１】特願２０１２−１８０４３７  公報
【特許文献２】特許第３２９９５５７号  公報
【特許文献３】実公昭４８−２３０号  公報
【特許文献４】特願２０１２−１１５０９９号  公報
【発明の概要】
【発明が解決しようとする課題】
【０００４】
しかしながら、動力を取込み、伝達させるボタン式電気不要自動ドアは伝達手段として主にワイヤー、ベルトを多用するため安全面より全体的に保護する必要があり、結果的に壁部へ内蔵する構造となり専門業者による施工工事が必要であり、設置に係る総額を高価にしていた。
【課題を解決するための手段】
【０００５】
上記課題を解決するために、請求項１に記載された発明によれば、利用者１８の操作により開閉するドア開閉装置であって、前記ドア開閉装置は利用する者１８の操作により通常位置と操作位置とに選択的に位置変換自在な、前記装置内部に取り付けられている操作手段と、該操作手段と伝達手段との間に配置される反操作力伝達手段であるリンク３とを備え、前記操作手段は通行する利用者１８の操作により、該操作部は前後方向へ、通常位置と操作位置とに選択的に位置変換自在とされ、前記反操作力伝達手段であるリンク３を有し、前記リンク３を用い、反操作力荷重を増幅させることを特徴とするドア開閉装置を提供する。
【０００６】
すなわち、リンク機構を用い操作手段を位置変換すると同時に反操作力を増幅しているため、小さな操作手段の移動量にて、且つ比較的小荷重の反操作力源にて前記操作手段を通常位置へ位置変換でき、従来のプーリーを用いた増幅も不要となり、壁部への内蔵も不要となった。
【０００７】
又請求項２に記載された発明によれば、請求項１に対し前記反操作力伝達手段は錘を有し、その自重を反操作力として用いることを特徴とするドア開閉装置を提供する。
【０００８】
すなわち、錘５による荷重をリンクにて増幅させ反操作力荷重として用いることを特徴とするドア開閉装置を提供する。
【０００９】
又請求項３に記載された発明によれば、請求項１に対し前記反操作力伝達手段はバネ１２を有し、その弾性力を反操作力として用いることを特徴とするドア開閉装置を提供する。
【００１０】
すなわち、バネ１２による荷重をリンクにて増幅させ反操作力荷重として用いることを特徴とするドア開閉装置を提供する。
【００１１】
本装置はリンク３を用い、操作手段であるボタン２を小さな変位量で通常位置から操作位置へ位置変換させ、比較的小さな反操作力荷重である錘５又はバネ１２で通常位置へ位置変換することを目的としている。
【００１２】
従来、プーリーを用い増幅させていたが、ワイヤー、ベルトを多用するため安全上装置全体を保護する必要がありコスト面、スペースを考慮し壁に内蔵したが特殊な設置工事が必要となりコスト面、施工性に課題があった。
【００１３】
リンク３を用いることにより全体にワイヤー、ベルトを多用する必要がなくなり且つコンパクト化できるため全体を保護する必要がなくなり上記課題を解決している。
【図面の簡単な説明】
【００１４】
【図１】本発明の引戸にて複数のリンク機構を用いた通常位置一実施例
【図２】図１の複数のリンク機構を用いた操作位置一実施例
【図３】図１のテコを用いた通常位置一実施例
【図４】図３のテコを用いた操作位置一実施例
【図５】図３のドアに自閉装置が装備された通常位置一実施例
【図６】図５のドアに自閉装置が装備された操作位置一実施例
【図７】図５のバネを用いた通常位置一実施例
【図８】開戸にてリンク機構を用いた通常位置一実施例
【図９】図１〜８のＡ拡大図一実施例
【図１０】図１〜８のＡ拡大図通常位置一実施例
【図１１】図１〜８のＡ拡大図操作位置一実施例
【図１２】図１〜８のＡ拡大図通常位置一実施例
【図１３】図１〜８のＡ拡大図操作位置一実施例
【発明を実施するための形態】
【００１５】
以下本発明の実施の形態を図１〜図１３に基付いて説明する。
図１において、利用者１８が操作手段であるボタン２を押下することによりドア１が開扉することを示す。又多節リンク機構を用いた通常時を示し、小さい操作量にて大きなドア変位量を発生させており、且つ操作位置から通常位置へ位置変換時錘５による反操作力は増幅されドアが自動的に閉扉することも示す。
【００１６】
図２は図１の操作時を示しボタン部を押下し、リンクが作動し開扉した状態を示す。
【００１７】
図３はシンプルなリンク機構であるテコへ更にリンクを組み合わせた操作時を示す。ここで述べるリンクとは１節及び１関節以上で構成、連鎖する機構体を示す。
【００１８】
図５は図３にてリンク３に具備していた錘５がドア１に具備している場合の通常時を示す。ドアに既に自閉装置が付随している場合に有効であることを示す。
【００１９】
図６は図５の操作時を示す。
【００２０】
図７は錘５の代わりにバネ１２を用いた場合の通常時を示す。
【００２１】
図８は開戸を用いた場合の通常時を示す。
【００２２】
図９はリンク機構要部Ａに多節機構を用いた場合の通常時を示す。
【００２３】
多節リンク機構にて変位量が増幅され、更に少ない操作量でも位置変換が可能になり自由度の高い設計ができることを示す。
【００２４】
図１０はリンク機構要部Ａにスライド式リンク機構を用いた場合の通常時を示す。
【００２５】
図１１は図１０の操作時を示し、リンク上部がより上昇していることが分かる。
【００２６】
ボタン２を押下する方向とリンクが作動する方向が異なり、これを用いることによりボタンをどの方向から押下してもドアが開閉扉でき、自由度の高い設計ができることを示す。
【００２７】
図１２もリンク機構要部Ａに多節リンク機構を用いた場合の通常時を示す。
【００２８】
図１１と同様にボタン２を押下する方向とリンクが作動する方向が異なり、リンク機構のみから構成され、且つ自由度の高い設計ができることを示す。
【００２９】
図１３も図１２の操作時を示し、リンク上部がより上昇していることが分かる。
【００３０】
リンク機構のみで構成されることにより簡素化され製作し易いことを示す。
【産業上の利用可能性】
【００３１】
本機構は手だけでなく足や車椅子など利用者の状態に合わせてボタンを押下できればドアが開扉するため、障害者、老人、あるいは子供などが主要対象となる福祉施設用ドア、使用頻度が少なくドアの開閉が比較的困難な場所に比較的安価に設置できる。
【符号の説明】
【００３２】
１  引戸
２  マット
３  リンク(テコ)
４  設置台
５  錘(バネ)
６  ワイヤー
７  プーリー
８  案内溝(スライダー)
９  鴨居
１０  框
１１  框
１２  バネ
１３  プーリー
１４  プーリー
１５  ワイヤー
１６  バネ(自閉装置)
１７  開戸
１８  利用者
【図１】
2014224389.tif 000003
【図２】
2014224389.tif 000004
【図３】
2014224389.tif 000005
【図４】
2014224389.tif 000006
【図５】
2014224389.tif 000007
【図６】
2014224389.tif 000008
【図７】
2014224389.tif 000009
【図８】
2014224389.tif 000010
【図９】
2014224389.tif 000011
【図１０】
2014224389.tif 000012
【図１１】
2014224389.tif 000013
【図１２】
2014224389.tif 000014
【図１３】
2014224389.tif 000015